(57)【特許請求の範囲】
【請求項１】
少なくとも２つのタブレット状物、とりわけ、閉じたフィルムバッグ（１）に入った洗濯用および／または皿洗い用の洗剤タブレットのための包装であって、
フィルムバッグは、横方向シーム（２）によりその両端が閉じられ、縦方向シーム（３）により縦方向に閉じられ、
フィルムバッグ（１）の内部は、少なくとも４つの分離シーム（７”）により互いに分離された、収容すべきタブレット（４）の数に対応する数の区分け（５，６）に分割され、これにより、隣接するタブレットが互いに接触するのを防止し、
特定の分離シーム（７”）は、特定の区分け（５，６）の間の節部だけに延伸し、これにより、領域（８”）においては分離シームが形成されず、
この包装が裂き開かれたとき、区分け（５，６）の全体を覆い、縦方向シーム（３）と平行に配置された裂き開口ライン（９”）は、分離シームが形成されない領域（８”）に沿って配置され、
４つの分離シーム（７”）は、２つの区分け（５，６）の間に設けられ、対をなして、フィルムバッグ（１）の縦方向軸に対して対称的に配置され、この対は、端部が開いた「Ｖ」字形状に形成されることを特徴とする包装。
【請求項２】
少なくとも２つのタブレット状物、とりわけ、閉じたフィルムバッグ（１）に入った洗濯用および／または皿洗い用の洗剤タブレットのための包装であって、
フィルムバッグは、横方向シーム（２）によりその両端が閉じられ、縦方向シーム（３）により縦方向に閉じられ、
フィルムバッグ（１）の内部は、少なくとも１つの分離シーム（７’）により互いに分離された、収容すべきタブレット（４）の数に対応する数の区分け（５，６）に分割され、これにより、隣接するタブレットが互いに接触するのを防止し、
特定の分離シーム（７’）は、特定の区分け（５，６）の間の節部だけに延伸し、これにより、領域（８’）においては分離シームが形成されず、
この包装が裂き開かれたとき、区分け（５，６）の全体を覆い、縦方向シーム（３）と平行に配置された裂き開口ライン（９’）は、分離シームが形成されない領域（８’）に沿って配置され、
２つの区分け（５，６）の間の一方の側部に、単一の分離シーム（７’）が設けられ、対向する側部に、分離シームが形成されない領域（８’）が設けられ、
切り裂き開口ライン（９’）を含む縦方向シーム（３）が、分離シーム（７’）の形成されない領域（８’）を通り、包装の縦方向軸の中心からずれて延伸することを特徴とする包装。
【請求項３】
２つの区分け（５，６）の間の一方の側部に、単一の分離シーム（７’）が設けられ、対向する側部に、分離シーム（７’）の形成されない領域（８’）が設けられ、
切り裂き開口ライン（９’）を含む縦方向シーム（３）が、分離シーム（７’）の形成されない領域（８’）を通り、包装の縦方向軸の中心からずれて延伸する包装であって、
分離シーム（７’）は、横方向シーム（２）と平行に配置されたことを特徴とする請求項２の包装。
【発明の詳細な説明】
【０００１】
本発明は、少なくとも２つのタブレット状物、とりわけ、閉じたフィルムバッグに入った洗濯用および／または皿洗い用の洗剤タブレットの梱包に関する。
【０００２】
洗濯用および／または皿洗い用のタブレット状洗剤は、通常、フィルムバッグ内に、好適には個別に包装された後、輸送用容器に収容される。しかしながら、所定の洗濯用および／または皿洗い用洗剤は、適当な使用量としてちょうど１個だけ必要であるとは限らず、複数個必要である場合もある。すると、このとき、ユーザは、対応する数の袋をあけて取り出す必要がある。その結果、必要とするフィルムと、フィルムのごみが増えてしまう一方、より大きな問題点として、ユーザが、所定の必要タブレット数を使用しなければ、安易に使用量を誤ってしまうという問題が生じる。
【０００３】
通常、１つのフィルムバッグ単位で、２つまたはそれ以上のタブレットを収容する梱包は、例えば、フローパックと呼ばれ、広く知られている。このような梱包について、例えば、ドイツ特許第２９５０９５９２号で開示されている。しかし、こういった梱包に関しては、問題があって、隣接するタブレットがフィルム状梱包材の中で互いにあまりに近接しているので、タブレットの割れ、端部欠け、または摩滅が生じかねない。
【０００４】
一般に、バッグ（梱包袋）の内部は、概略、分離シーム（ｓｅａｍ）を用いて、互いに分離された、さまざまな収容区分け（ａｃｃｏｍｍｏｄａｔｉｏｎ ｃｏｍｐｏｎｅｎｔ）に分割される。このように、スイス特許第５１１１５７号は、注入可能な食品のための、２つの分離された収容区分けを備えたバッグを開示している。このバッグを開くためには、第１のノッチなどのようなものに沿って、第１梱包の収容区分を裂き開く必要があり、他方の梱包区分を閉じたままの状態にしておく。他方の（第２）収容区分を開くためには、この収容区分をもう一方のノッチに沿って裂き開く必要がある。このように構成されたフィルムバックから、さらに使用量が追加されないようにすることができる。互いに部分的に分離された区分けを有するバッグに関するその他の解決手段が米国特許第４，６７４，１２８号、米国特許第４，３６２，２４１号、およびドイツ特許第３９００７０２号に開示してある。
【０００５】
本発明が解決しようとする課題は、始めに説明したタイプのパックを改善して、１つの同じパックに含まれるいくつかのタブレットが損傷しないようするととともに、１回の開封動作でパックを切り開いて、すべてのタブレットを同時に取り出すことができるようにすることである。
【０００６】
本発明によれば、これらの問題は、始めに説明したタイプのパックを用いて解決することができて、少なくとも２つのタブレット状物、とりわけ、閉じたフィルムバッグに入った洗濯用および／または皿洗い用の洗剤タブレットのためのパックであって、フィルムバッグの内部は、少なくとも１つの分離シームにより互いに分離された、収容すべきタブレットの数に対応する数の区分けに分割され、これにより、隣接するタブレットが互いに接触するのを防止し、特定の分離シームは、特定の区分けの間の節部だけに延伸し、これにより、領域においては分離領域が形成されず、区分けの全体を覆う切り裂き開口ラインは、この包装が裂き開かれたとき、分離シームの形成されない領域に沿って配置される。
【０００７】
したがって、本発明は、数個タブレット用の単一パックを提供し、個々のタブレットが互いに接触して、割れ、端部欠け、または摩滅しないようにすることができる。これと同時に、フィルムバッグが裂き開かれたとき、確実に、すべての区分けが開くようにし、さらに、すべてのタブレットが露出し、取り出されるか、または投入することができ、パック内のタブレット全体が直接に利用できるようする。こうして、利用量の誤りを容易になくすことができる。
【０００８】
このパックが、横方向シームによりその両端が閉じられ、縦方向シームにより縦方向に閉じられたフィルムバッグを用いた場合、切り裂き開口ラインは、縦方向シームと平行に配置される。こうして、パックを裂き開くことは、全体として従来と同様にパックに沿って行われる。これにより、確実に、すべての区分けを極めて容易に開くことができる。切り裂き開口ラインは、パーフォレーションの形態であってもよいし、裂き開きストリップなどのようなものであってもよい。
【０００９】
第１の好適な変形例は、特定の分離シームが横方向シーム（フィン）と並行に配置される個とにより特徴付られる。
【００１０】
別の好適な変形例において、切り裂き開口ラインが横方向において配置されるところで、中央部（分離シームの形成されない領域）に介在する２つの分離シームにより、２つの区分けが分離される。
【００１１】
別の択一的な好適な変形例において、４つの分離シームは、対をなして、２つの区分けの間に設けられ、フィルムバッグの縦方向軸に対して対称的に配置され、この対は、端部が開いた「Ｖ」字形状に形成される。
【００１２】
本発明は、添付図面を参照しながら、以下詳細に説明される。
【００１３】
（好適な実施形態の説明）
図面は、タブレット状の２つの対象物（ｏｂｊｅｃｔ）のためのパック（包装）を示し、とりわけ、洗濯用および／または皿洗い用のタブレット状洗剤のためのパック（包装）を示している。このパックは、いわゆる、ダブルフローのパックフィルムバッグ１からなり、そのバッグは、フィンと呼ばれる横方向シーム２によりその両端において閉じ、さらに縦方向シーム３により縦方向に閉じている。本発明によれば、フィルムバッグの内部は、２つのタブレット４を収容するように、２つの区分け（ｃｏｍｐａｒｔｍｅｎｔ）に分離されており、２つの区分けに分離する方法が、図１ないし図３の実施形態において異なっている。
【００１４】
図１で示す実施形態１において、分離シーム７は、横方向シーム２と平行となるように、節部に配置されている。２つの分離シーム７の間の中央部に、分離シーム７を設けない領域８を形成し、ここを縦方向シーム３が延伸する。
【００１５】
２つの区分け５，６に分離することにより、確実に、２つの隣接するタブレット４が互いに接触することを防止することができる。そのため、容易に、タブレット４が互いに摩滅しないように、またはタブレット４に機械的なストレスを与えないようにすることができる。
【００１６】
さらに、分離シーム７は、節部にしか設けないので、パックを裂き開いた場合、フィルムバッグ１全体が開き、両方の区分け５，６が露出して、両方のタブレット４を容易に取り出すことができる。このため、切り裂き開口ライン９は、例えば、パーフォレーション（ミシン目）や切り裂きストリップのような形態であってもよいが、図に示すように、分離シーム７から離れた領域８に沿って、縦方向シーム３と平行に配置される。こうして、タブレット４の各々をパックの開口部から取り出すことができ、件の製品のタブレットを２つ使用することが推奨された場合、正確な使用量を自動的に投入することができる。
【００１７】
図２は、同様の部材に対しては図１と同様の符号を用いて、択一的な実施形態を示している。図１で示す実施形態とは異なり、分離シーム７’が一方の側部にしか設けられておらず、領域８’において、他方の側部に分離シームは設けられていない。したがって、図１で示す実施形態とは異なり、縦方向シーム３’は、中央にはなく、関連する切り裂き開口ライン９’に対応して、中央からずれた位置に配置される。この縦方向シーム３’は、同様に分離シーム７を形成しない領域８’を延伸する。その結果、パックは、切り裂き開口ライン９’に沿って、完全に裂き開いて、２つの区分け５，６から両方のタブレット４を取り出すことができる。
【００１８】
図３は、同様の部材に対しては図１と同様の符号を用いて、さらに別の実施形態を示している。図１で示す実施形態とは異なり、ここでは符号７”で示す分離シームが横方向シーム２と平行に配置されていない。その代わりに、２つの区分け５，６の間の領域に、４つの分離シーム７”が配置されている。また、この分離シーム７”は、対をなして、フィルムバッグ１の縦方向シーム３に対して軸方向に対称的に配置され、この対は、端部が開いた「Ｖ」字形状に形成されている。この実施形態でも、２つのタブレット４は、互いに容易に分離することができる。一方、フィルムバッグ１を切り裂き開口ライン９”に沿って裂き開くとき、分離シームが配置されない領域８”が十分広いので、両方のタブレット４を確実に取り出すことができる。
【００１９】
本発明は、言うまでもなく、これまで説明した実施形態に限定して解釈されるものではない。基本的な発想から逸脱することなく、その他の実施形態が可能である。分離シーム７，７’，７”は異なる形状であってもよいし、接着剤を用いてこれらシームを固定するなどして、異なる方法で形成してもよい。場合によっては、溶接されたシームを用いるよりもむしろ、この方が好適であり、適当であることもある。
【図面の簡単な説明】
【図１】図１は、本発明に係る第１の実施形態のパック（包装）の平面図である。
【図２】図２は、図１で示す実施形態の位置関係を若干修正した第２の実施形態のパックの平面図である。
【図３】図３は、本発明に係る第３の実施形態のパック（包装）の平面図である。
【符号の説明】
１  フィルムバッグ、２  横方向シーム、３  縦方向シーム、４  タブレット、５，６  区分け、７  分離シーム、８  分離シームを設けない領域、９  切り裂き開口ライン。
【図１】
0003549485.tif 000002
【図２】
0003549485.tif 000003
【図３】
0003549485.tif 000004